(57)【要約】【課題】画像に対する変倍原点と変倍方向を可変することにより、さまざまな位置に変倍原点を設定し、この変倍原点を基準とした自由な方向への画像の変倍処理が可能なディジタル複写機を提供することを目的とする。【解決手段】本発明のディジタル複写機は、画像入力部１０１、画像処理部１０２、画像出力部１０３、操作部１０４、および制御部１０５を含み構成される。画像処理部１０２は、ＭＴＦフィルタ処理部、変倍処理部、γ補正処理部、および諧調処理部を含み構成されている。ユーザの所望する画像の変倍原点、変倍方向および変倍率を画像処理部１０２の変倍処理部が設定することによって、ユーザの所望する変倍画像を得ることができる。【選択図】      図１
2005033385.tif 000002
【特許請求の範囲】
【請求項１】
画像を入力する画像入力手段と、
前記画像入力手段により入力された画像に対して所定の処理を施す画像処理手段と、
前記画像の変倍を行う変倍手段と、
前記画像の変倍率を設定する変倍率設定手段と、
前記画像の変倍原点と変倍方向を設定する変倍制御手段と、
各処理後の画像を用紙などに出力する画像出力手段と、
を備えたことを特徴とするディジタル複写機。
【請求項２】
前記変倍制御手段は、前記画像の変倍方向を、前記画像入力手段における読み取り走査方向と同方向または反対方向に設定することを特徴とする請求項１に記載のディジタル複写機。
【請求項３】
前記変倍制御手段は、前記画像の内側の任意の位置に変倍原点を設定することを特徴とする請求項１または２に記載のディジタル複写機。
【請求項４】
原稿サイズを検知可能な原稿サイズ検知手段を備え、前記変倍制御手段は、前記原稿サイズ検知手段により検知された原稿サイズの四角に変倍原点を設定することを特徴とする請求項１または２に記載のディジタル複写機。
【発明の詳細な説明】
【０００１】
【発明の属する技術分野】
本発明は、画像の拡大，縮小などの変倍処理機能を備えたディジタル複写機に関する。
【０００２】
【従来の技術】
従来から画像の拡大，縮小などの変倍処理を行う技術として種々のものが提案されている。例えば、ポインティングデバイスの指示する座標位置と被編集画像の座標位置との間の相関関係から、当該画像の右部分または左部分を拡大，縮小する技術（下記特許文献１を参照。）や、領域開始アドレスと終了アドレスを設定し、領域内の画像を設定変倍率で変倍する技術（下記特許文献２を参照。）などがある。
【０００３】
【特許文献１】
特開平８−２４９４８８号公報
【特許文献２】
特開２００１−３１３８１８号公報
【０００４】
【発明が解決しようとする課題】
しかしながら、上記各特許文献に開示されている技術をはじめとする、従来の画像変倍技術では、画像の変倍を行うときの基準となる原点は原稿の左上角の位置に固定されている。このため変倍後に得られる画像も一種類に限定されてしまうといった問題がある。特に、画像の拡大処理を行うとき、原稿の左上角以外の位置に出力したい画像が存在しても、それが変倍後に出力不可能な範囲の位置になってしまう場合には、出力できないことになる。また、原稿中の任意の位置にある画像のみを変倍することはできない。
【０００５】
本発明は、上記のような従来技術の有する問題点に鑑みてなされたものであり、その目的は、画像に対する変倍原点と変倍方向を可変することにより、さまざまな位置に変倍原点を設定し、この変倍原点を基準とした自由な方向への画像の変倍処理が可能なディジタル複写機を提供することにある。
【０００６】
【課題を解決するための手段】
上記目的を達成するため、本発明の請求項１にかかるディジタル複写機は、画像を入力する画像入力手段と、前記画像入力手段により入力された画像に対して所定の処理を施す画像処理手段と、前記画像の変倍を行う変倍手段と、前記画像の変倍率を設定する変倍率設定手段と、前記画像の変倍原点と変倍方向を設定する変倍制御手段と、各処理後の画像を用紙などに出力する画像出力手段と、を備えたことを特徴とする。
【０００７】
この請求項１に記載の発明によれば、変倍原点と変倍方向を任意に設定することが可能なので、さまざまな位置を変倍原点として変倍した画像を得ることができる。
【０００８】
また、請求項２にかかるディジタル複写機は、請求項１に記載の発明において、前記変倍制御手段は、前記画像の変倍方向を、前記画像入力手段における読み取り走査方向と同方向または反対方向に設定することを特徴とする。
【０００９】
この請求項２に記載の発明によれば、画像の変倍処理を効率的に行うことができる。
【００１０】
また、請求項３にかかるディジタル複写機は、請求項１または２に記載の発明において、前記変倍制御手段は、前記画像の内側の任意の位置に変倍原点を設定することを特徴とする。
【００１１】
この請求項３に記載の発明によれば、画像の内側の任意の位置を変倍原点として、その変倍原点から任意の方向に画像を変倍することにより、画像の内側の特定部分に着目した変倍処理を行うことができる。
【００１２】
また、請求項４にかかるディジタル複写機は、請求項１または２に記載の発明において、原稿サイズを検知可能な原稿サイズ検知手段を備え、前記変倍制御手段は、前記原稿サイズ検知手段により検知された原稿サイズの四角に変倍原点を設定することを特徴とする。
【００１３】
この請求項４に記載の発明によれば、画像の変倍基準となる変倍原点の位置を原稿の左上角、右上角、左下角、または右下角から任意に設定することができ、原稿の左上角以外の位置に変倍したい画像が存在する場合であっても容易に変倍画像が得られる。
【００１４】
【発明の実施の形態】
以下に添付図面を参照して、本発明の好適な実施の形態を詳細に説明する。図１は、本発明のディジタル複写機の概略構成を示すブロック図である。このディジタル複写機は、画像入力部１０１、画像処理部１０２、画像出力部１０３、操作部１０４、および制御部１０５を含み構成される。
【００１５】
画像入力部１０１はスキャナに相当し、原稿画像を読み取り、それを画像データとして画像処理部１０２に送る。画像処理部１０２は、画像入力部１０１から送られた画像データに対してＭＴＦフィルタ処理，変倍処理，γ補正処理，階調処理などの各種画像処理を行い、これら画像処理後の画像データを画像出力部１０３に送る。画像出力部１０３はプリンタに相当し、画像処理後の画像データを用紙にプリント出力する。操作部１０４は、コピー動作の設定や、スタート，ストップなどのユーザからの指示が入力されるものである。また、この操作部１０４には表示パネルが備えられており、その表示パネルにディジタル複写機の設定状態が表示される。
【００１６】
制御部１０５は、ディジタル複写機の全体制御を行う。すなわち、画像入力部１０１に対してはスキャナの動作制御を行う。画像処理部１０２に対してはＭＴＦフィルタ処理，変倍処理，補正処理，階調処理などの各種画像処理の処理に用いるパラメータの設定を行う。画像出力部１０３に対してはプリンタの動作制御を行う。操作部１０４に対しては各種情報の表示制御や動作モードの入力制御を行う。
【００１７】
次に、画像処理部１０２について説明する。図２は、この画像処理部１０２の詳細構成およびその周辺構成を示すブロック図である。画像処理部１０２は、ＭＴＦフィルタ処理部２０１、変倍処理部２０２、γ補正処理部２０３、および諧調処理部２０４を含み構成されている。また、制御部１０５は、ＣＰＵ２０５、ＲＯＭ２０６およびＲＡＭ２０７を含み構成されている。
【００１８】
画像処理部１０２のＭＴＦフィルタ処理部２０１は、画像入力部１０１から送られた画像データに対してフィルタ処理を行う。変倍処理部２０２は、ＭＴＦフィルタ処理部２０１でフィルタ処理が行われた画像データに対し変倍原点や変倍率を設定し、拡大，縮小処理を行う。γ補正処理部２０３は、その変倍処理部後の画像データに対しγ補正処理を行う。階調処理部２０４は、γ補正および変倍処理された後の画像データに対し階調処理を行う。
【００１９】
制御部１０５のＣＰＵ２０５は、ディジタル複写機全体の制御を行う。ＲＯＭ２０６には、ＣＰＵ２０５を動作させるための制御プログラムが格納されている。ＲＡＭ２０７は、前記制御プログラムにより一時的に使用される。内部システムバス２０８は、各手段間のデータのやり取りを行うためのものである。
【００２０】
次に、原稿画像の読み取りについて説明する。図３は、画像入力部１０１の読み取り原稿台の構成を示す図である。原稿は読み取り面が下向きとなるように原稿台３００の上に置かれる。読み取りは、原稿台３００における読み取り原点３０１を基準にして行われる。また、原稿サイズ検知センサ３０２により原稿台３００の上に置かれた原稿の大きさが検知される。
【００２１】
図４は、画像入力部１０１の読み取り光学系の構成を示す図である。原稿の読み取り面４０１が主走査方向に伸びた光源４０２により照明される、そして、その反射光が第１ミラー４０３、第２ミラー４０４、第３ミラー４０５により順次反射され、レンズ４０６によりＣＣＤイメージセンサ４０７上に結像されて読み取られる。
【００２２】
図５は、原稿とその読み取り走査方向を示す図である。読み取る原稿の原点はその原稿の左上で、原稿台３００における読み取り原点３０１に合わせて置かれる。原稿の読み取り面の主走査はＣＣＤイメージセンサ４０７により電子的に行われ、Ｌ１，Ｌ２，Ｌ３，・・・のラインデータを作成する。副走査方向の走査は原稿とＣＣＤイメージセンサ４０７との相対的な移動により機械的に行われる。
【００２３】
その後、読み取られた原稿の画像は、ＭＴＦフィルタ処理部２０１でのフィルタ処理後に、変倍処理部２０２によって、電子的に読み取られた主走査方向に関しての変倍処理が行われる。主走査方向の変倍処理は、変倍後のサンプリングピッチで画像データを補間演算することにより行われる（詳細は後述する）。また、副走査方向の変倍は、原稿とＣＣＤイメージセンサ４０７との相対的な移動速度を調整することにより機械的に行う。
【００２４】
次に、図６〜図９を参照して変倍処理部２０２の動作を説明する。図６は、変倍率２５０％の場合、すなわち２．５倍に拡大する場合を示す図である。図６において、○印は変倍前の画像データのサンプリング点を示し、Ｄ１〜Ｄ５はこのサンプリング点における濃度を示している。また、×印は変倍後の仮想サンプリング点を示し、Ｄ１’〜Ｄ１１’はこの仮想サンプリング点における濃度を示している。
【００２５】
図６において、サンプリング点間の距離を１とし、サンプリング点と仮想サンプリング点の距離をｒとすると、変倍前の画像データＤ１から距離ｒの位置の変倍後の画像データＤ２’は、次式に示すような隣接２画素加重平均により求めることができる。
Ｄ２’＝（１−ｒ）×Ｄ１＋ｒ×Ｄ２  …（１）
【００２６】
なお、仮想サンプリング点における濃度の計算は、上記（１）式によって求められる隣接２画素加重平均に限定されるものではなく、種々の方法が知られている。仮想サンプリング点における濃度Ｄ１’，・・・が求められると、図７に示すように、この画素を変倍前の画素と同一のピッチで記録することにより拡大画像を得ることができる。
【００２７】
図７に示した各画素は画像処理部１０２内のラインメモリ（不図示）に１ライン分の画像データとして保存される。変倍処理部２０２は、前記ラインメモリから画像データを読み出して、仮想サンプリング点の濃度値の計算を行い、前記計算結果を前記ラインメモリに保存することにより行う。ここでは、仮想サンプリング点の濃度値を計算する始めの位置が変倍の原点となる。図７では、Ｄ１が変倍の原点になる。仮想サンプリング点の濃度値の計算開始点を制御することにより、変倍原点の制御を行う。
【００２８】
図８は、変倍率が５０％、すなわち１／２に縮小する場合を示した図である。○印は変倍前の画像データのサンプリング点を示し、Ｄ１〜Ｄ５はこのサンプリング点における濃度を示している。また、×印は変倍後の仮想サンプリング点を示し、Ｄ１’〜Ｄ３’はこの仮想サンプリング点における濃度を示している。実サンプリング点と仮想サンプリング点が一致しない場合には、拡大時と同様に、その距離に応じて隣接２画素加重平均により仮想サンプリング点における濃度値を求めることができる。そして、図９に示すように、そのときの画素を変倍前の画素と同一のピッチで記録することにより縮小画像を得ることができる。
【００２９】
図９に示した各画素は、前記ラインメモリに１ライン分の画像データとして保存される。変倍処理部２０２は、前記ラインメモリから画像データを読み出して、仮想サンプリング点の濃度値の計算を行い、計算結果を前記ラインメモリに保存する。ここで仮想サンプリング点の濃度値を計算する始めの位置が変倍の原点となる。図９ではＤ１が変倍の原点になる。仮想サンプリング点の濃度値の計算開始点を制御することにより変倍原点の制御を行う。
【００３０】
図１０は、副走査方向の原稿読み取り開始位置を示す図である。副走査方向の変倍は、前述のように原稿とＣＣＤイメージセンサとの相対的な移動速度を調整することにより機械的に行うが、その際の副走査方向の原稿読み取り開始は制御部１０５によって制御される。このとき、副走査方向の読み取り開始位置が副走査方向の変倍原点位置になる。
【００３１】
次に画像の変倍方向の制御について説明する。画像の変倍方向は、変倍原点を基準にして右下方向、左下方向、右上方向、左上方向の４方向である。変倍方向が右下方向以外の場合は、指定された変倍原点位置に対して位置補正計算を行い、実際に使用する変倍原点位置を求める。
【００３２】
図１１は、操作部１０４の表示パネルの表示例を示す図である。まず、画像の変倍を行うのに際し、「変倍原点」の表示を選択すると、図１２に示す変倍原点位置・変倍方向設定画面に切り替わる。ここでは、原稿中の任意の位置を変倍原点として指定することが可能である。図１２では、原稿画像の左上角の位置からの長さで変倍原点位置を指定しているが、タブレット等で直接指定することも可能である。その後、画像の変倍方向を設定する。画像の変倍方向は、右下方向、左下方向、右上方向、左上方向の４つの中から選択することができる。指定された変倍原点位置は画素数に変換されて、変倍方向の指定によって実際に画像の変倍処理を行う基準となる変倍原点位置が計算される。
【００３３】
ここで変倍原点の指定された位置を（ＧＸ，ＧＹ）、位置補正計算後の変倍原点位置を（ＧＸ’，ＧＹ’）、変倍後に実際に出力可能な画像の画素数を（ＤＸ，ＤＹ）、主走査，副走査の変倍率を（ＭＸ，ＭＹ）とする。この場合のそれぞれの方向への変倍原点位置の補正計算は次のようになる。
【００３４】
変倍方向が右下の場合
ＧＸ’＝ＧＸ
ＧＹ’＝ＧＹ
【００３５】
変倍方向が左下の場合
ＧＸ’＝ＧＸ−ＤＸ／ＭＸ
ＧＹ’＝ＧＹ
【００３６】
変倍方向が右上の場合
ＧＸ’＝ＧＸ
ＧＹ’＝ＧＹ−ＤＹ／ＭＹ
【００３７】
変倍方向が左上の場合
ＧＸ’＝ＧＸ−ＤＸ／ＭＸ
ＧＹ’＝ＧＹ−ＤＹ／ＭＹ
【００３８】
以下、具体例を示す。まず図１３に示す画像中に変倍原点１３０１を設定する。この状態で、変倍原点１３０１から左上方向に２５０％拡大すると、図１４（ａ）に示す画像になる。変倍原点１３０１から右上方向に２５０％拡大すると、図１４（ｂ）に示す画像になる。変倍原点１３０１から左下方向に２５０％拡大すると、図１４（ｃ）に示す画像になる。変倍原点１３０１から右下方向に２５０％拡大すると、図１４（ｄ）に示す画像になる。
【００３９】
また、図１３に示した画像の変倍原点１３０１から左上方向に９０％縮小すると、図１５（ａ）に示す画像になる。変倍原点１３０１から右上方向に９０％縮小すると、図１５（ｂ）に示す画像になる。変倍原点１３０１から左下方向に９０％縮小すると、図１５（ｃ）に示す画像になる。変倍原点１３０１から右下方向に９０％縮小すると、図１５（ｄ）に示す画像になる。
【００４０】
また、本発明のディジタル複写機では、変倍原点位置を原稿の四角に設定することも可能である。図１６は、この場合に操作部１０４の表示パネルの表示例を示す図である。ここでは、ユーザが表示パネルに表示された、「原稿左上角」、「原稿右上角」、「原稿左下角」、「原稿右下角」のいずれかに指で触れることによって、そのいずれかの位置に変倍原点を設定することができる。これにより、まず、図３に示した原稿サイズ検知センサ３０２により原稿のサイズが検知された後、設定された変倍原点位置から実際に画像の変倍処理を行う基準となる変倍原点位置が計算される。
【００４１】
ここで、原稿サイズに応じた読み取り画素数を（ＳＸ，ＳＹ）とし、実際に処理で使用する変倍原点位置を（ＧＸ，ＧＹ）、変倍後に実際に出力可能な画像の画素数を（ＤＸ，ＤＹ）、主走査，副走査の変倍率を（ＭＸ，ＭＹ）とする。このときの変倍原点位置は次の計算により求められる。
【００４２】
変倍原点位置が原稿左上角の場合
ＧＸ＝０
ＧＹ＝０
【００４３】
変倍原点位置が原稿右上角の場合
ＧＸ＝ＳＸ−ＤＸ／ＭＸ
ＧＹ＝０
【００４４】
変倍原点位置が原稿左下角の場合
ＧＸ＝０
ＧＹ＝ＳＹ−ＤＹ／ＭＹ
【００４５】
変倍原点位置が原稿右下角の場合
ＧＸ＝ＳＸ−ＤＸ／ＭＸ
ＧＹ＝ＳＹ−ＤＹ／ＭＹ
【００４６】
以下、具体例を示す。まず、図１７（ａ）に示すように、原稿の左上角に変倍原点１７０１が設定された場合、２５０％拡大の画像は図１７（ｂ）のようになる。また、９０％縮小の画像は図１７（ｃ）のようになる。
【００４７】
次に、図１８（ａ）に示すように、原稿の右上角に変倍原点１８０１が設定された場合、２５０％拡大の画像は図１８（ｂ）のようになる。また、９０％縮小の画像は図１８（ｃ）のようになる。
【００４８】
図１９（ａ）に示すように、原稿の左下角に変倍原点１９０１が設定された場合、２５０％拡大の画像は図１９（ｂ）のようになる。また、９０％縮小の画像は図１９（ｃ）のようになる。
【００４９】
図２０（ａ）に示すように、原稿の右下角に変倍原点２００１が設定された場合、２５０％拡大の画像は図２０（ｂ）のようになる。また、９０％縮小の画像は図２０（ｃ）のようになる。
【００５０】
以上、本発明の一実施形態を図面に沿って説明した。しかしながら本発明はこの実施の形態に示した事項に限定されず、特許請求の範囲の記載に基づいてその変更、改良等が可能である。例えば、この実施の形態ではディジタル複写機についての例を示して説明したが、本発明はディジタル複写機に限らず、プリンタ装置，ファクシミリ装置またはこれらの機能を兼ね備えたディジタル複合機においても実現可能である。
【００５１】
【発明の効果】
上述のように、本発明のディジタル複写機は、画像に対する変倍原点と変倍方向を可変することにより、さまざまな位置に変倍原点を設定し、この変倍原点を基準とした自由な方向への画像の変倍処理が可能になるという効果を奏する。
【図面の簡単な説明】
【図１】本発明のディジタル複写機の概略構成を示すブロック図である。
【図２】画像処理部の詳細構成およびその周辺構成を示すブロック図である。
【図３】画像入力部の読み取り原稿台の構成を示す図である。
【図４】画像入力部の読み取り光学系の構成を示す図である。
【図５】原稿とその読み取り走査方向を示す図である。
【図６】主走査方向の拡大の原理を説明するための図である。
【図７】主走査方向の拡大前と拡大後の画素の関係を説明するための図である。
【図８】主走査方向の縮小の原理を説明するための図である。
【図９】主走査方向の縮小前と縮小後の画素の関係を説明するための図である。
【図１０】副走査方向の原稿読み取り開始位置を示す図である。
【図１１】操作部の表示パネルの表示例を示す図である。
【図１２】走査部の表示パネルに表示される変倍原点位置・変倍方向設定画面の例を示す図である。
【図１３】変倍原点が画像の内側に指定される場合の例を示す図である。
【図１４】図１３に示した変倍原点を基準とする拡大画像を示す図である。
【図１５】図１３に示した変倍原点を基準とする縮小画像を示す図である。
【図１６】操作部の表示パネルの表示例を示す図である。
【図１７】変倍原点を原稿の左上角に指定した場合の拡大画像と縮小画像を示す図である。
【図１８】変倍原点を原稿の右上角に指定した場合の拡大画像と縮小画像を示す図である。
【図１９】変倍原点を原稿の左下角に指定した場合の拡大画像と縮小画像を示す図である。
【図２０】変倍原点を原稿の右下角に指定した場合の拡大画像と縮小画像を示す図である。
【符号の説明】
１０１  画像入力部
１０２  画像処理部
１０３  画像出力部
１０４  操作部
１０５  制御部
２０１  ＭＴＦフィルタ処理部
２０２  変倍処理部
２０３  γ補正処理部
２０４  諧調処理部
２０５  ＣＰＵ
２０６  ＲＯＭ
２０７  ＲＡＭ
２０８  内部システムバス
３００  原稿台
３０１  読み取り原点
３０２  原稿サイズ検知センサ
４０１  原稿の読み取り面
４０２  光源
４０３  第１ミラー
４０４  第２ミラー
４０５  第３ミラー
４０６  レンズ
４０７  ＣＣＤイメージセンサ
１３０１，１７０１，１８０１，１９０１，２００１  変倍原点
【図１】
2005033385.tif 000003
【図２】
2005033385.tif 000004
【図３】
2005033385.tif 000005
【図４】
2005033385.tif 000006
【図５】
2005033385.tif 000007
【図６】
2005033385.tif 000008
【図７】
2005033385.tif 000009
【図８】
2005033385.tif 000010
【図９】
2005033385.tif 000011
【図１０】
2005033385.tif 000012
【図１１】
2005033385.tif 000013
【図１２】
2005033385.tif 000014
【図１３】
2005033385.tif 000015
【図１４】
2005033385.tif 000016
【図１５】
2005033385.tif 000017
【図１６】
2005033385.tif 000018
【図１７】
2005033385.tif 000019
【図１８】
2005033385.tif 000020
【図１９】
2005033385.tif 000021
【図２０】
2005033385.tif 000022